(57)【要約】【課題】頭を支える補助ヘッドレストがあるネックレストを提供する。【解決手段】主に一つのパッドと、一つのパッドの上に設けてある第一連結部と及び一つのヘッドレストとで構成されるので、使用者がそのネックレストを利用して休みたい時、そのヘッドレストをそのパッドの第一連結部に接続した後、そのパッドを肩に置いてネックに囲んで、使用者の頭が定まることができるし、使用者の必要によって、そのヘッドレストをパッドの上でのその他位置に移動して置くことができる。【選択図】図１
0003132278.tif 000002
【実用新案登録請求の範囲】
【請求項１】
補助ヘッドレストがあるネックレストであって、一つのパッドと、一つの長辺が内部へ凹んでＵ形を呈することで形成される一つの嵌め部と、そのパッドの表面に設けられる一つの第一連結部と、一つのヘッドレストと、その上に一つに設けられる第二連結部とからなり、当該第二連結部を当該第一連結部と結合することができることを特徴とする補助ヘッドレストがあるネックレスト。
【請求項２】
前記パッドには、サイドパッドがあり、そのサイドパッドは逆さのＵ形、丸形、長方形又はその他貴下形状の袋であっても良いのであることを特徴とする請求項１に記載の補助ヘッドレストがあるネックレスト。である。
【請求項３】
前記第一連結部及び前記第二連結部はオスのマジックテープ（登録商標）とメスのマジックテープ（登録商標）で構成されることを特徴とする請求項１又は２に記載の補助ヘッドレストがあるネックレスト。
【考案の詳細な説明】
【技術分野】
【０００１】
本考案は補助ヘッドレストがあるネックレストに関するものである。特に、
同時に頭を支えるネックレストを指すものである。
【背景技術】
【０００２】
現代人が交通手段を利用するチャンスが増えるので、疲れる時、その使っている交通手段の中に座るまま、ちょっとだけ寝る人も増えるが、座るまま寝ることは人体の自然な寝る姿に合わない。ただ、空間が狭いから、横になって寝ることができないため、乗る人の頭の重さはほぼネックで支えるので、座るまま寝た後肩が痛くなった人も多い。又、車が走っている場合、発進の時と止める時に首に力がかかって、前に傾いて或いは後ろに倒れる可能性がよくあるので、この時の作用力(引力)によって、首に怪我をするおそれがある。現在、上述の状況に合わせて設計されたネックレストがある。
【０００３】
従来のネックレストは図６の通り、ネックレスト30を使用する場合、その内部に空気を入れたら、柔らかいネックレスト30になり、それはU形のネックレスト30で、使用する場合、人の肩に置いて、そのU形のネックレスト30の開口部からネックレスト30を首に装着する。そのU形ネックレスト30を首に装着する目的は、首を固定するためのであるが、首以上の部位はまだ固定されてないから、人が睡眠状態になった場合、車の走る状態がぜんぜんわからないから、車を止める時と発進する時に、頭が慣性に従って首を連動するので、睡眠の質も悪くなり、更に、首に怪我をする場合もあるので、頭を一定の位置に定まれば、頭が揺れる可能性を低下することで、睡眠の質を改善できるし、首に怪我をする可能性も減少できる。
【考案の開示】
【考案が解決しようとする課題】
【０００４】
上述のため、この考案の主要な目的は、補助ヘッドレストがあるネックレストを提供することで、人がネックレストを使用する場合、首の位置が定まるだけではなく、更に頭に支えを与えるので、頭が適切な位置に定まることで、睡眠の質を改善できるし、首に怪我をする可能性も減少できる。
【課題を解決するための手段】
【０００５】
上述の目的を達成するため、本考案は、そのネックレストに、一つのパッドがあり、そのパッドは空気を充填できる袋であり、その袋の内部に気体を一杯充填する場合、そのパッドの一つの長辺が内部へ凹んでU形を呈し、その凹んだ所には嵌め部が形成され、一つの第一連結部があり、それをパッドの表面に設けてあり、一つのヘッドレストがあり、その上に一つの第二連結部を設けてあり、その第二連結部を第一連結部と結合することを特徴とする。
【考案の効果】
【０００６】
これにより、そのヘッドレストをパッドの上での適切な位置に固定することができる。更に、そのヘッドレストは使用者の必要によって、そのヘッドレストを両側又は後側に置くことで、使用者の頭又は後頭部が支えられて、一定の位置に定まるため、睡眠の質をアップするし、首の疲れと痛みを減少できる。
【考案を実施するための最良の形態】
【０００７】
図1をご参照ください。それはこの考案のベター実施例の説明図である。この
考案の中に、一つのパッド10があり、そのパッド10は空気を充填できる袋であり、その袋の内部に空気を一杯充填する場合、そのパッド10は内部へ凹んでU形を呈することで、一つの嵌め部11が形成され、その第一連結部12はパッドに
表面に設けられ、一つのヘッドレスト20があり、そのヘッドレスト20は逆さの
U形であっても良い。その底面に一つの連結部21を設けることで、その第一連結部12と連結することができる。
【０００８】
この実施例の中に、前述の第一連結部12と第二連結部21はメス或いはオスの
マジックテープ（登録商標）、又はその他繰り返し装着と貼りつけができるものを使用する。
そのヘッドレスト20は空気を充填する袋であり、使用者がそのヘッドレスト20をパッド10に置いた後、そのパッド20に空気を入れると、すぐ柔らかいエアクッション20になる。更に、そのヘッドレスト20の上に第二連結部21を設けることで、そのパッド10での第一連結部12と結合する。そのヘッドレスト20の形状は長方形の袋(図2の通り)、丸形の袋(図3の通り)又はいずれの幾何形の袋であっても良いのである。
【０００９】
図4をご参照ください。それはこの考案のベター実施例の使用状態の参考図である。そのパッド10を使う場合、その内部に空気を充填すると、直ちに柔らかいネックレストになる。その後、ヘッドレスト20の第二連結部21をそのパッド10の上での第一連結部12と相互に結合する。使用する場合、そのパッド10のU形の開口部を首に装着してから、その嵌め部11を使用者の首と接触することで、そのパッド10を使用者の肩の上方での首に装着することができる。又、そのヘッドレスト20が使用者の必要によって、ヘッドレスト20をパッドの中間部に置くこともできるので、使用者が上に仰いで寝る場合、頭が支えられるので、使用者の睡眠の質を改善できるし、首に怪我をする可能性も減少できる。
【００１０】
更に図5をご参照ください。それはこの考案の第一ベター実施例での別一つの使用状態の参考図である。そのヘッドレスト20をそのパッド10の両側に置くこともできるので、使用者の頭部を横に置くことで、使用者の睡眠の質を改善できるし、首に怪我をする可能性も減少できる。
【図面の簡単な説明】
【００１１】
【図１】この考案の第一ベター実施例の説明図である。
【図２】この考案のヘッドレストの別一つの外形の説明図である。
【図３】この考案のヘッドレストの別一つの外形の説明図である。
【図４】この考案の第一ベター実施例の使用状態参考図である。
【図５】この考案の第一ベター実施例の別一つの使用状態参考図である。
【図６】従来のヘッドレストの使用状態参考図である。
【符号の説明】
【００１２】
１０……パッド
１１……嵌め部
１２……第一連結部
２０……ヘッドレスト
２１……第二連結部
３０……ネックレスト
【図１】
0003132278.tif 000003
【図２】
0003132278.tif 000004
【図３】
0003132278.tif 000005
【図４】
0003132278.tif 000006
【図５】
0003132278.tif 000007
【図６】
0003132278.tif 000008
【手続補正書】
【提出日】平成19年3月23日(2007.3.23)
【手続補正１】
【補正対象書類名】実用新案登録請求の範囲
【補正対象項目名】請求項２
【補正方法】変更
【補正の内容】
【請求項２】
前記パッドには、サイドパッドがあり、そのサイドパッドは逆さのＵ形、丸形、長方形又はその他貴下形状の袋であっても良いのであることを特徴とする請求項１に記載の補助ヘッドレストがあるネックレスト。